(57)【要約】【課題】本発明は１缶２水式熱交換器を加熱源とする風呂温水を利用した加熱により給湯出口から即時にお湯が出る即時給湯装置を実現する。【解決手段】浴槽追い焚き用の循環水加熱回路１３と、給湯加熱回路１２を一つの缶体で構成される１缶２水式熱交換器である主熱交換装置１１と、浴槽２１の水を循環する循環ポンプ１９と、圧力逃がし装置２４と、外部入力装置３１と、制御手段３２から構成され、浴槽水は循環ポンプ１９で循環されて給湯加熱回路１２の温水を一定温度以上に保つことにより、簡易な構成で即時給湯機能を実現できる。【選択図】  図１
2004309054.tif 000002
【特許請求の範囲】
【請求項１】
給湯加熱回路と循環水加熱回路の２回路が互いに伝熱関係を持って接合された主熱交換装置と、前記主熱交換装置を加熱する加熱手段と、前記給湯加熱回路と、前記循環水加熱回路の温水を循環する循環ポンプと、前記循環水加熱回路が所定温度以下の場合に前記加熱手段で加熱し、前記給湯加熱回路の圧力上昇した水を前記循環水加熱回路側へ逃がす為に設けた圧力逃がし手段と、前記循環水加熱回路の水が前記給湯加熱回路へ逆流することを防ぐ逆止手段と、前記循環ポンプを動作させる制御手段と、前記制御手段を制御できる外部入力装置とを設けた即時給湯装置。
【請求項２】
循環ポンプを一定時間ごとに動作させる制御手段を設けた請求項１記載の即時給湯装置。
【請求項３】
給湯加熱回路の温度を検出する給湯加熱回路温度センサと、前記給湯加熱回路温度センサの検出する温度が一定温度以下になると循環ポンプを動作させる制御手段を設けた請求項１記載の即時給湯装置。
【請求項４】
出湯温度を検出する出湯温度センサと、前記出湯温度センサの検出する温度が一定温度以下になると循環ポンプを動作させる制御手段を設けた請求項１記載の即時給湯装置。
【請求項５】
入水温度を検出する入水温度センサと、前記入水温度センサの検出する温度により循環ポンプを動作させる間隔を変更する制御手段を設けた請求項１記載の即時給湯装置。
【請求項６】
機内温度を検出する機内温度センサと、前記機内温度センサの検出する温度により循環ポンプを動作させる間隔を変更する制御手段を設けた請求項１記載の即時給湯装置。
【請求項７】
通水量を検出する水量センサと、前記水量センサが通水を検出しなくなり加熱を停止してから一定時間ごとに循環ポンプを動作させる制御手段を設けた請求項１記載の即時給湯装置。
【発明の詳細な説明】
【０００１】
【発明の属する技術分野】
本発明は、１缶２水式熱交換器を加熱源とする風呂温水を利用した加熱により給湯出口から即時にお湯が出る即時給湯装置に関するものである。
【０００２】
【従来の技術】
従来のこの種の即時給湯装置は、熱源に給湯用熱源と暖房用熱源の二つを別々に有する２缶２水式熱交換器を使用して実現している（例えば、特許文献１参照）。
【０００３】
図８は、前記公報に記載された従来の即時給湯装置を示すものである。図８に示すように、熱源に給湯暖房用熱源手段１を用い、暖房ライン開閉弁２で暖房ライン３に温水を循環する制御を行い、熱交換器４付きの保温容器５に温度センサ６を設け、保温容器５の前後に一次出湯ライン７と二次出湯ライン８を設けて構成している。
【０００４】
【特許文献１】
特開平１０−１７６８３６号公報（段落０００２−００２１、図１）
【０００５】
【発明が解決しようとする課題】
しかしながら上記従来の即時給湯装置では、給湯暖房用熱源手段１を用いなければならないため給湯機能と暖房機能を有する熱源手段である二つの熱交換器を別々に備えなければならないため本体自身が大きくなると共に、給湯加熱回路はカランを開くまで加熱されないため、熱源出口から当初冷水が出水し保温用器内の温水と冷水とが混合することによる出湯温度の変動が生じる課題がある。
【０００６】
本発明は上記課題を解決するため、熱源自体の出湯温度到達時間を短縮する即時給湯装置の提供を目的とする。
【０００７】
【課題を解決するための手段】
前記従来の課題を解決するために、本発明の即時給湯装置は、一つの熱源で給湯加熱回路と循環水加熱回路を同時に加熱する加熱手段を設け、この加熱手段で循環水加熱回路を加熱し循環ポンプで温水を循環することで、主熱交換装置の給湯加熱回路を同時に加熱する即時給湯装置を実現できる。
【０００８】
【発明の実施の形態】
本発明の請求項１における即時給湯装置は、給湯加熱回路と循環水加熱回路の２回路が互いに伝熱関係を持って接合された主熱交換装置と、主熱交換装置を加熱する加熱手段と、給湯加熱回路と、循環水加熱回路の温水を循環する循環ポンプと、循環水加熱回路が所定温度以下の場合に加熱手段で加熱し、給湯加熱回路の圧力上昇した水を循環水加熱回路側へ逃がす為に設けた圧力逃がし手段と、循環水加熱回路の水が給湯加熱回路へ逆流することを防ぐ逆止手段と、循環ポンプを動作させる制御手段と、制御手段を制御できる外部入力装置とを設けた構成とする。
【０００９】
上記構成によって、循環水加熱回路の温度が所定温度以下の場合、加熱手段で主熱交換装置の循環水加熱回路を加熱する。加熱された循環水加熱回路の温水が循環ポンプにより循環する際、主熱交換装置における給湯加熱回路を同時に加熱する。給湯のためにカランを開栓するとこの加熱されていた給湯加熱回路内の温水が直ちに出湯する。すなわち、一般的な１缶２水式熱交換器で大きな機能部品を設けることなく、外部入力装置の入力により浴槽にお湯はりしたときには循環水加熱回路の温水を循環することにより、初期から一定温度の出湯が可能な即時給湯装置を実現できる。
【００１０】
請求項２に記載の発明は、請求項１に記載の即時給湯装置において、浴槽にお湯がある場合には循環ポンプを一定時間ごとに動作させ、給湯回路内の温水温度を一定温度以上に保つことにより、初期から一定温度の出湯が可能な即時給湯装置を実現できるものである。
【００１１】
請求項３に記載の発明は、請求項１に記載の即時給湯装置において、給湯加熱回路温度センサの検出する給湯加熱回路温度が一定温度以下になると循環ポンプを動作させ、給湯回路内の温水温度を一定温度以上に保つことにより、初期から一定温度の出湯が可能な即時給湯装置を実現できるものである。
【００１２】
請求項４に記載の発明は、請求項１に記載の即時給湯装置において、出湯温度センサの検出する出湯温度が一定温度以下になると循環ポンプを動作させ、給湯回路内の温水温度を一定温度以上に保つことにより、初期から一定温度の出湯が可能な即時給湯装置を実現できるものである。
【００１３】
請求項５に記載の発明は、請求項１に記載の即時給湯装置において、入水温度センサの検出する入水温度により循環ポンプを動作させる間隔を変更して給湯回路内の温水温度を一定温度以上に保つことにより、季節に応じて効率的に初期から一定温度の出湯が可能な即時給湯装置を実現できるものである。
【００１４】
請求項６に記載の発明は、請求項１に記載の即時給湯装置において、機内温度センサの検出する機内温度により循環ポンプを動作させる間隔を変更して外気温に応じて効率的に初期から一定温度の出湯が可能な即時給湯装置を実現できるものである。
【００１５】
請求項７に記載の発明は、請求項１に記載の即時給湯装置において、水量センサ２９が通水を検出しなくなり加熱を停止してから一定時間ごとに循環ポンプを動作させることにより、効率的に初期から一定温度の出湯が可能な即時給湯装置を実現できるものである。
【００１６】
【実施例】
以下、本発明の実施例について図面を用いて説明する。
【００１７】
（実施例１）
図１は本発明実施例１の即時給湯装置のシステム構成図である。図１において、１０は屋外等に設置したガス給湯風呂機であり、主熱交換装置１１である給湯加熱回路１２と循環水加熱回路である風呂水加熱回路１３が一体で構成されている。給湯風呂機１０は、ガス等の燃料とファン１４による燃焼空気により加熱手段であるバーナ１５で燃焼熱を発生し、給湯加熱回路１２と風呂水加熱回路１３で水を加熱し熱交換する。給湯加熱回路１２へは入水路１６から水が供給され、加熱された後、出水路１７経て出湯口であるカランやシャワーヘッド１８等から出湯する。一方、風呂水加熱回路１３で加熱された循環温水は循環ポンプ１９により風呂水往き回路２０を通り、浴槽２１へ到達し、風呂水戻り回路２２から給湯風呂機１０へ戻ってくる。風呂水戻り回路２２には浴槽２１からの戻り湯温を検出するサーミスタ２３が設けられている。さらに、出水路１７には風呂水戻り回路２２へ圧力を逃がす圧力逃がし手段である圧力逃がし弁と逆流を防止する逆止手段である逆止弁２５が設けられている。また、循環ポンプ１９などを制御できる制御手段３２と、この制御手段を制御できる外部入力装置３１が設けられている。
【００１８】
以上のように構成した即時給湯装置において、外部入力装置３１の入力に基づき制御手段３２により浴槽にお湯はりされている場合には、循環水加熱回路の温水を循環することにより給湯回路の温水を一定温度以上に保つように制御を行う。
【００１９】
まず、ファン１４により送られた燃焼空気とガスをバーナ１５で混合し燃焼させ、主熱交換装置１１に設けられた風呂水加熱回路１３を通過する循環水を加熱する。加熱された循環水は浴槽２１へ約６０℃の温水となり循環ポンプ１９で循環される。この時、主熱交換装置１１の他方の回路が通る給湯加熱回路１２の中の給湯水は、バーナ１５で加熱されると同時に、風呂水加熱回路１３の温水にも加熱される。風呂水戻り回路２２のサーミスタ２３が、あらかじめ設定された所定温度以下になるとバーナ１５で加熱する制御を行うことで、カラン等１７から出湯するとき、給湯風呂機１１の機具出口においてすぐに加熱された給湯水が即座に出湯する。
【００２０】
すなわち、一つの主熱交換装置で可能で、即時給湯用の貯湯タンクも設ける必要がなく、浴槽のお湯を有効活用することにより、コンパクト、低イニシャルコストと低ランニングコストで即時給湯装置を提供できるものである。
【００２１】
（実施例２）
図２は本発明実施例２における即時給湯装置の構成図である。図２において、実施例１の構成と異なるところは、循環ポンプ１９を一定時間ごとに動作させる制御手段３３を設けた構成とした点である。
【００２２】
以上のように構成した即時給湯装置において、外部入力装置３１の入力に基づき制御手段３２により浴槽にお湯はりされている場合には、循環水加熱回路の温水を一定時間ごとに循環することにより給湯回路の温水を一定温度以上に保つように制御を行うことで、浴槽にお湯があり入浴している時には、カラン等１７から出湯すると給湯風呂機１１の機具出口においてすぐに加熱された給湯水が即座に出湯する即時給湯装置を実現できる。
【００２３】
（実施例３）
図３は本発明実施例３における即時給湯装置の構成図である。図３において、実施例１の構成と異なるところは、給湯加熱回路１２の温度をはかる給湯加熱回路温度センサ２７の検出する温度が一定温度以下になると、循環ポンプ１９を動作させる制御手段３４を設けた構成とした点である。
【００２４】
以上のように構成した即時給湯装置において、外部入力装置３１の入力に基づき制御手段３２により浴槽にお湯はりされている場合には、給湯加熱回路温度センサ２７の検出する温度が一定温度以下になると、循環ポンプ１９を動作させることにより、必要に応じて効率的に給湯回路の温水を一定温度以上に保つことができ、カラン等１７から出湯すると給湯風呂機１１の機具出口においてすぐに加熱された給湯水が即座に出湯する即時給湯装置を実現できる。
【００２５】
（実施例４）
図４は本発明実施例４における即時給湯装置の構成図である。図４において、実施例１の構成と異なるところは、出湯温度センサ２８の検出する温度が一定温度以下になると循環ポンプ１９を動作させる制御手段３５を設けた構成とした点である。
【００２６】
以上のように構成した即時給湯装置において、外部入力装置３１の入力に基づき制御手段３２により浴槽にお湯はりされている場合には、出湯温度センサ２８の検出する温度が一定温度以下になると循環ポンプ１９を動作させることにより、必要に応じて効率的に給湯回路の温水を一定温度以上に保つことができ、カラン等１７から出湯すると給湯風呂機１１の機具出口においてすぐに加熱された給湯水が即座に出湯する即時給湯装置を実現できる。
【００２７】
（実施例５）
図５は本発明実施例５における即時給湯装置の構成図である。図５において、実施例１の構成と異なるところは、入水温度センサ２６の検出する温度により循環ポンプ１９を動作させる間隔を変更する制御手段３６を設けた構成とした点である。
【００２８】
以上のように構成した即時給湯装置において、外部入力装置３１の入力に基づき制御手段３２により浴槽にお湯はりされている場合には、入水温度センサ２６の検出する温度により循環ポンプ１９を動作させる間隔を変更することにより、おおよそ季節に応じて効率的に給湯回路の温水を一定温度以上に保つことができ、カラン等１７から出湯すると給湯風呂機１１の機具出口においてすぐに加熱された給湯水が即座に出湯する即時給湯装置を実現できる。
【００２９】
（実施例６）
図６は本発明実施例６における即時給湯装置の構成図である。図６において、実施例１の構成と異なるところは、機内温度センサ３０の検出する温度により循環ポンプを動作させる間隔を変更する制御手段３７を設けた構成とした点である。
【００３０】
以上のように構成した即時給湯装置において、外部入力装置３１の入力に基づき制御手段３２により浴槽にお湯はりされている場合には、機内温度センサ３０の検出する温度により循環ポンプを動作させる間隔を変更することにより、外気温に応じて効率的に給湯回路の温水を一定温度以上に保つことができ、カラン等１７から出湯すると給湯風呂機１１の機具出口においてすぐに加熱された給湯水が即座に出湯する即時給湯装置を実現できる。
【００３１】
（実施例７）
図７は本発明実施例７における即時給湯装置の構成図である。図７において、実施例１の構成と異なるところは、水量センサ２９が通水を検出しなくなり加熱を停止してから一定時間ごとに循環ポンプを動作させる制御手段３８を設けた構成とした点である。
【００３２】
以上のように構成した即時給湯装置において、外部入力装置３１の入力に基づき制御手段３２により浴槽にお湯はりされている場合には、水量センサ２９が通水を検出しなくなり加熱を停止してから一定時間ごとに循環ポンプを動作させることにより、給湯使用に応じて効率的に給湯回路の温水を一定温度以上に保つことができ、カラン等１７から出湯すると給湯風呂機１１の機具出口においてすぐに加熱された給湯水が即座に出湯する即時給湯装置を実現できる。
【００３３】
【発明の効果】
以上の説明から明らかなように本発明の即時給湯装置によれば、大きな機能部品を設けることなく、浴槽水のお湯を有効活用することにより、初期から一定温度の出湯が可能である即時給湯装置を実現できる。
【図面の簡単な説明】
【図１】本発明の実施例１における即時給湯装置のシステム構成図
【図２】本発明の実施例２における即時給湯装置のシステム構成図
【図３】本発明の実施例３における即時給湯装置のシステム構成図
【図４】本発明の実施例４における即時給湯装置のシステム構成図
【図５】本発明の実施例５における即時給湯装置のシステム構成図
【図６】本発明の実施例６における即時給湯装置のシステム構成図
【図７】本発明の実施例７における即時給湯装置のシステム構成図
【図８】従来の即時給湯装置のシステム構成図
【符号の説明】
１１  主熱交換装置
１２  給湯加熱回路
１３  循環水加熱回路
１５  加熱手段
１９  循環ポンプ
２４  圧力逃がし手段
２５  逆止手段
３１  外部入力装置
３２  制御手段
【図１】
2004309054.tif 000003
【図２】
2004309054.tif 000004
【図３】
2004309054.tif 000005
【図４】
2004309054.tif 000006
【図５】
2004309054.tif 000007
【図６】
2004309054.tif 000008
【図７】
2004309054.tif 000009
【図８】
2004309054.tif 000010